(57)【要約】【課題】鍵の再設定が可能な錠シリンダを提供すること。【解決手段】鍵の再設定が可能な錠シリンダが、プラグ本体と、内部に配置されたキャリア・サブ組立体とを有するシリンダ本体を含む。プラグ本体は、複数のばね付勢ピンを含み、キャリア組立体は、該ピンに係合して錠シリンダを作動させるための複数のラックを含む。ラック及びピンは、錠シリンダへの第１の有効鍵の挿入に応答して、横断方向に移動し、該錠シリンダをロック解除する。キャリアは、ツール受け用アパーチャへのツールの挿入に応答して、作動位置から鍵の再設定位置まで長手方向に移動する。鍵の再設定位置において、ラックはピンから分離され、第２の有効鍵を第１の有効鍵に置き換えることができる。第２の有効鍵が錠シリンダ内に有した状態で、プラグ本体を受け位置から回転させることにより、第１の有効鍵が使われなくなる。【選択図】図２
2010048082.tif 000002
【特許請求の範囲】
【請求項１】
鍵の再設定が可能な錠シリンダの鍵を再設定する方法であって、
プラグ本体と、鍵穴を有するロック面と、ツール受け用アパーチャとを設けた錠シリンダを準備し、
第１の有効鍵を前記鍵穴の定位置に挿入し、
前記プラグ本体を前記定位置から第１の位置に回転させ、
ツールを前記ツール受け用アパーチャに挿入し、
前記第１の有効鍵を前記鍵穴から取り外し、
第２の有効鍵を前記鍵穴に挿入し、
前記プラグ本体を前記第１の位置から遠ざかるように回転させる、
ステップを含むことを特徴とする方法。
【請求項２】
前記錠シリンダが、少なくとも１つのラックと、前記少なくとも１つのラックと係合する少なくとも１つのピンとをさらに含み、前記ツールを挿入する前記ステップが、該少なくとも１つのラックを移動させて前記少なくとも１つのピンとの係合から外れさせるステップを含むことを特徴とする請求項１に記載の方法。
【請求項３】
前記錠シリンダが、該錠シリンダの長手方向軸に平行に移動可能なキャリアを含むことを特徴とする請求項１に記載の方法。
【請求項４】
前記ツールを挿入する前記ステップが、前記キャリアを前記第１の位置から第２の位置に移動させるステップを含むことを特徴とする請求項３に記載の方法。
【請求項５】
前記ツールを挿入する前記ステップが、前記キャリアを第１の位置から第２の位置に移動させるステップを含み、前記キャリアが、該キャリアを前記第２の位置内に保持するための手段を含むことを特徴とする請求項１に記載の方法。
【請求項６】
前記プラグを前記第１の位置から遠ざかるように回転させる前記ステップが、前記ばねキャッチを解除して前記キャリアが該第１の位置に戻ることを可能にするステップを含むことを特徴とする請求項５に記載の方法。
【請求項７】
前記プラグ本体が、複数のピンと、前記複数のピンに係合させるための複数のラックとを含み、前記ツールを挿入する前記ステップが、前記複数のラックを前記錠シリンダの長手方向軸に平行に移動させ、該複数のラックを該複数のピンから分離させるステップを含むことを特徴とする請求項１に記載の方法。
【請求項８】
第１の有効鍵を挿入する前記ステップが、前記複数のラックを前記長手方向軸に対して横断方向に移動させることを特徴とする請求項７に記載の方法。
【請求項９】
鍵の再設定が可能な錠シリンダの鍵を再設定する方法であって、
鍵穴を有するプラグ本体を準備し、
キャリアを準備し、
第１の有効鍵を前記鍵穴に挿入し、
前記プラグ本体を第１の位置まで回転させ、
前記キャリアを前記錠シリンダの前記長手方向軸に平行に移動させ、
前記第１の有効鍵を前記鍵穴から取り外し、
第２の有効鍵を前記鍵穴に挿入し、
前記プラグ本体を前記第１の位置から遠ざかるように回転させる、
ステップを含むことを特徴とする方法。
【請求項１０】
鍵の再設定が可能な錠シリンダの鍵を再設定する方法であって、
第１の有効鍵を前記錠シリンダに挿入し、
複数のピンに係合させるために複数のラックを準備し、
前記複数のラックを前記錠シリンダの長手方向軸に平行に移動させて、該複数のラックを前記複数のピンから分離させ、
前記第１の有効鍵を第２の鍵と置き換え、
前記複数のラックを前記錠シリンダの前記長手方向軸と平行に移動させて、該複数のラックを前記複数のピンと係合させる、
ステップを含むことを特徴とする方法。
【請求項１１】
前記挿入ステップが、プラグ本体を回転させて前記複数のラックを定位置から第１の位置に回転させるステップを含み、前記複数のラックを移動させて分離させる前記ステップが、該複数のラックを前記第１の位置から第２の位置に移動させるステップを含むことを特徴とする請求項１０に記載の方法。
【請求項１２】
前記複数のラックを移動させて係合させる前記ステップが、前記複数のラックを前記第２の位置から前記第１の位置に移動させるステップを含むことを特徴とする請求項１１に記載の方法。
【発明の詳細な説明】
【技術分野】
【０００１】
本発明は、一般に、錠シリンダに関し、具体的には、鍵を再設定することができる錠シリンダに関する。より具体的には、本発明は、マスターキーを使わずに鍵を再設定することができる錠シリンダに関する。
【背景技術】
【０００２】
従来のシリンダ設計を用いてシリンダの鍵を再設定する時、ユーザは、新しい鍵を用いて該シリンダをロック解除できるように、シリンダ本体からシリンダ・プラグを取り外し、適切なピンに交換することが必要である。一般に、このことは、ユーザが、錠セットからシリンダ機構を取り外し、次に該シリンダをある程度分解してプラグを取り外し、ピンに交換すること必要とする。このことは、錠セット及びシリンダ機構についての実際上の知識を必要とし、通常、鍵屋又は訓練を受けた専門家によってのみ行われる。さらに、この工程は、通常、特殊なツールを用いるものであり、ユーザは、ピンを交換し、鍵の再設定工程において紛失又は損傷することがある部品を交換するために、ピンニング・キットへのアクセスを有することを必要とする。最終的に、適切なツールを用いる専門家は、従来のシリンダを容易にこじ開けることができる。
【０００３】
本発明は、従来の錠シリンダのこれら及び他の欠点を克服するものである。本発明の錠シリンダは、現在のシリンダと同様に、鍵を挿入し、錠シリンダ内で該鍵を回転させるという精通している経験を示す分かりやすい方法で作動する。しかしながら、本発明においては、この同じ精通している経験が、錠シリンダの鍵を再設定するために用いられる。したがって、ユーザは、本発明の錠シリンダの鍵を再設定するのに何らの特別の知識、訓練、又はツールを必要としない。
【発明の概要】
【０００４】
本発明は、古い鍵を使えなくする一方で、錠シリンダに新しい鍵を「教示」する簡単な手段を提供するものである。本発明によると、鍵の再設定が可能な錠シリンダが、長手方向軸を有するシリンダ本体と、該シリンダ本体内に配置されたプラグ組立体とを含む。プラグ組立体は、プラグ本体と、該プラグ本体に隣接して配置されたキャリア・サブ組立体とを含む。プラグ組立体は、複数のピンをさらに含む。キャリア・サブ組立体は、シリンダ本体の長手方向軸と平行に移動可能であり、ピンと係合するための複数のラックを含む。ラックは、第１の方向へのキャリアの移動に応答してピンから分離し、第２の方向への該キャリアの移動に応答してピンと係合する。錠シリンダは、ラックがピンから分離される時に鍵の再設定が可能な状態になる。
【０００５】
本発明は、鍵の再設定が可能な錠シリンダの鍵を再設定する新規な方法をさらに含む。本発明によると、鍵の再設定が可能な錠シリンダの鍵を再設定する方法が、プラグ本体と、鍵穴及びツール受け用アパーチャをもつロック面を有する錠シリンダを準備し、第１の有効鍵を鍵穴に挿入し、該プラグ本体を第１の位置に回転させ、ツールをツール受け用アパーチャに挿入し、該第１の有効鍵を該鍵穴から取り外し、第２の鍵を該鍵穴に挿入し、該プラグ本体を該第１の位置から回転させるステップを含む。ツールを挿入するステップは、ラックを移動させて、ピンとの係合から外れさせるステップを含む。
【０００６】
本発明の１つの態様によると、錠シリンダは、該錠シリンダの長手方向軸と平行に移動可能なキャリアを含み、ツールを挿入するステップが、該キャリアを移動させるステップを含む。
添付の図面及び添付の特許請求の範囲に従って見た時に、他の特徴及び利点が、以下の説明から明らかになるであろう。
【図面の簡単な説明】
【０００７】
【図１】本発明による錠シリンダを示す。
【図２】図１の錠シリンダの分解図を示す。
【図３】ロッキング・バーがロック位置に配置され、プラグ組立体を錠シリンダ本体内にロックした状態のキャリア・サブ組立体を示す、プラグ組立体の斜視図である。
【図４】図３のプラグ組立体の平面図である。
【図５】図３のプラグ組立体の部分的に切り欠いた側面図である。
【図６】図３のプラグ組立体の部分分解図である。
【図７】断面がピンの１つで横断方向に切り取られ、該ピン、ラック、及びロッキング・バーの互いに対する配置及びロックされた構成のシリンダ本体を示す、図３のプラグ組立体及びシリンダ本体を通る断面図である。
【図８】有効鍵が内部に挿入され、該プラグ組立体が錠シリンダ本体内で回転するのを可能にするようにロック解除された位置に配置されたロッキング・バーを示す、図３のプラグ組立体の斜視図である。
【図９】図８のプラグ組立体の平面図である。
【図１０】図８のプラグ組立体の、部分的に切り欠いた側面図である。
【図１１】図８のプラグ組立体の部分分解図である。
【図１２】断面がピンの１つで横断方向に切り取られ、該ピン、ラック、及びロッキング・バーの互いに対する配置及びロック解除された構成のシリンダ本体を示す、図８のプラグ組立体及びシリンダ本体を通る断面図である。
【図１３】図８に類似しているが、キャリア組立体が鍵再設定位置に軸方向に移動された斜視図である。
【図１４】図１３のプラグ組立体の平面図である。
【図１５ａ】本発明に用いるためのシリンダ本体の様々な図である。
【図１５ｂ】本発明に用いるためのシリンダ本体の様々な図である。
【図１５ｃ】本発明に用いるためのシリンダ本体の様々な図である。
【図１５ｄ】本発明に用いるためのシリンダ本体の様々な図である。
【図１５ｅ】本発明に用いるためのシリンダ本体の様々な図である。
【図１６ａ】本発明に用いるためのシリンダ・プラグ本体の様々な図である。
【図１６ｂ】本発明に用いるためのシリンダ・プラグ本体の様々な図である。
【図１６ｃ】本発明に用いるためのシリンダ・プラグ本体の様々な図である。
【図１６ｄ】本発明に用いるためのシリンダ・プラグ本体の様々な図である。
【図１６ｅ】本発明に用いるためのシリンダ・プラグ本体の様々な図である。
【図１６ｆ】本発明に用いるためのシリンダ・プラグ本体の様々な図である。
【図１７ａ】本発明に用いるためのキャリアの様々な図である。
【図１７ｂ】本発明に用いるためのキャリアの様々な図である。
【図１７ｃ】本発明に用いるためのキャリアの様々な図である。
【図１７ｄ】本発明に用いるためのキャリアの様々な図である。
【図１７ｅ】本発明に用いるためのキャリアの様々な図である。
【図１７ｆ】本発明に用いるためのキャリアの様々な図である。
【図１８ａ】本発明に用いるためのラックの図である。
【図１８ｂ】本発明に用いるためのラックの図である。
【図１９ａ】本発明に用いるためのばねキャッチの図である。
【図１９ｂ】本発明に用いるためのばねキャッチの図である。
【図２０ａ】本発明に用いるためのピンの図である。
【図２０ｂ】本発明に用いるためのピンの図である。
【図２１ａ】本発明に用いるためのロッキング・バーの図である。
【図２１ｂ】本発明に用いるためのロッキング・バーの図である。
【図２２ａ】本発明に用いるためのばね保持用キャップの図である。
【図２２ｂ】本発明に用いるためのばね保持用キャップの図である。
【図２２ｃ】本発明に用いるためのばね保持用キャップの図である。
【図２２ｄ】本発明に用いるためのばね保持用キャップの図である。
【図２３】本発明の代替的な実施形態の分解斜視図である。
【図２４ａ】錠シリンダ・ハウジングの代替的な実施形態の図である。
【図２４ｂ】錠シリンダ・ハウジングの代替的な実施形態の図である。
【図２４ｃ】錠シリンダ・ハウジングの代替的な実施形態の図である。
【図２４ｄ】錠シリンダ・ハウジングの代替的な実施形態の図である。
【図２４ｅ】錠シリンダ・ハウジングの代替的な実施形態の図である。
【図２５】本発明の代替的な実施形態を通って取られた横断方向の断面図である。
【図２６ａ】ばねキャッチの代替的な実施形態の図である。
【図２６ｂ】ばねキャッチの代替的な実施形態の図である。
【図２７ａ】キャリアの代替的な実施形態の図である。
【図２７ｂ】キャリアの代替的な実施形態の図である。
【図２７ｃ】キャリアの代替的な実施形態の図である。
【図２７ｄ】キャリアの代替的な実施形態の図である。
【図２７ｅ】キャリアの代替的な実施形態の図である。
【図２８ａ】ピンの代替的な実施形態の図である。
【図２８ｂ】ピンの代替的な実施形態の図である。
【図２９ａ】ラックの代替的な実施形態の図である。
【図２９ｂ】ラックの代替的な実施形態の図である。
【図３０ａ】ロッキング・バーの代替的な実施形態の図である。
【図３０ｂ】ロッキング・バーの代替的な実施形態の図である。
【発明を実施するための形態】
【０００８】
本発明による錠シリンダ１０が、図１及び図２に示される。この錠シリンダ１０は、長手方向軸１１、錠シリンダ本体１２、プラグ組立体１４、及びリテーナ１６を含む。図１において、プラグ組立体１４は、シリンダ本体１２に対して定位置にある。
図１５ａ−図１５ｅに見られるような錠シリンダ本体１２は、前端部２２と、後端部２４と、内面２８を定めるシリンダ壁２６とを有するほぼ円筒形の本体２０を含む。シリンダ壁２６は、内部のロッキング・バー係合用溝２９と、一対の戻り止め凹部３０、３２を含む。ほぼＶ形状ロッキング・バー係合用溝２９は、前端部２２からシリンダ本体１２の一部に沿って長手方向に延びる。第１の戻り止め凹部３０は、後端部２４に配置され、第１の深さまで延びる。第２の戻り止め凹部３２は、第１の戻り止め凹部３０に隣接して配置され、より浅い深さまで延びる。戻り止めボア３４が、戻り止めボール３６（図２）を受けるように、シリンダ壁２６を通って半径方向に延びる。
【０００９】
プラグ組立体１４は、プラグ本体４０、キャリア・サブ組立体４２、及び複数のばね付勢ピン３８を含む（図２及び図２０ａ・２０ｂ）。図１６ａ−図１６ｆに示されるプラグ本体４０は、プラグ面４４、中間部４６、及び駆動部５０を含む。プラグ面４４は、鍵穴用開口部５２と、鍵再設定ツール用開口部５４と、穿孔防止用玉軸受６０（図２）を受けるための半径方向外方に延びる一対のチャネル５６とを定める。駆動部５０は、スピンドル又はトルクブレード（いずれも図示せず）を駆動するように半径方向内方に延びる一対の対向する突起部６４を有する環状壁６２を含む。駆動部５０は、プラグ本体４０をシリンダ本体１２内に保持するようにリテーナ１６を受けるための、周辺部内に形成された一対のスロット６６をさらに含む。
【００１０】
中間部４６は、シリンダ区域として形成され、長手方向の第１の平坦面７２を有する主部分７０と、ばね付勢ピン３８を受けるための複数のチャネル７４とを含む。チャネル７４は、プラグ本体４０の長手方向軸に対して横断方向に、かつ平坦面７２に対して平行に延びている。第２の平坦面７６が、第１の平坦面７２に対して垂直に延び、保持キャップ８２（図２及び図２２ａ−図２２ｄ）を受けるための凹部８０を定める。チャネル７４は、該チャネルの側壁が第１の平坦面７２に対して開放した状態で、第２の平坦面７６から、プラグ本体４０を部分的に貫通して延びる。第１の平坦面７２は、複数の弾丸状ラック係合部分７８をさらに含む。ばね付勢戻り止めボール３６（図２）を受けるためのボア８６が、反対側の第１の平坦面７２から半径方向内方に延びる。
【００１１】
キャリア・サブ組立体４２（図２、図６、及び図１０）は、キャリア９０（図１７ａ−図１７ｅ）、複数のラック９２（図１８ａ−図１８ｂ）、ばねキャッチ９６（図１９ａ−図１９ｂ）、ばね付勢ロッキング・バー９４（図２１ａ−図２１ｂ）、及び伸縮ばね９８（図２）を含む。キャリア９０は、プラグ本体４０の主部分７０に対して補完的なシリンダ区域の形態の本体１００を含むので、該キャリア９０及び該主部分７０が組み合わされて、錠シリンダ本体１２の内側に嵌合するシリンダを形成する。キャリア９０は、湾曲面１０２及び平坦面１０４を含む。湾曲面１０２は、ロッキング・バー用凹部１０６及びばねキャッチ用凹部１０８を含む。ロッキング・バー用凹部１０６は、ロッキング・バー伸縮ばねを受けるための、一対の伸縮ばね受け用ボア１０９（図１７Ｃ）をさらに含む。平坦面１０４は、キャリアの長手方向軸に対して垂直に延びる、複数の平行なラック受け用スロット１０２を含む。半円形の溝１１１が、キャリア９０の長手方向軸に平行な平坦面１０４に沿って延びる。キャリア９０の後端部は、伸縮ばね９８を受けるための凹部１１２を含む。
【００１２】
各々のばね付勢ピン３８は、ピン１１３及び付勢ばね１１５を含む。図２０ａ−図２０ｂに示されるピン１１３は、ほぼ円筒形状であり、環状の歯１１４と、付勢ばね１１５（図２）を受けるための長手方向の中央ボア１１６とを有する。図１８ａ−図１８ｂに示されるラック９２は、図７及び図１２に示されるような、ピン１１３上の環状の歯１１４に係合するように構成された複数の歯１２２を有するピン係合面１１８と、図１２に示されるような、平坦面７２上の弾丸状ラック係合部分７８に係合するための半円形凹部１２４とを含む。ラック９２は、複数のこじ開け防止用溝１２８と、一対のロッキング・バー係合用溝１３２とを含む第２の面１２６をさらに含む。
図２１ａ−図２１ｂに示されるばね付勢ロッキング・バー９４は、キャリア９０内のロッキング・バー用凹部１０６内に嵌合するような大きさにされ構成され、Ｖ形状ロッキング・バー係合用溝２９内に嵌合するように構成された三角形の縁部１３４を含む。図１２に示されるように、三角形の縁部１３４の反対側には、ロッキング・バー９４が、ラック１２内に形成されたロッキング・バー係合用溝１３２に係合するように構成された、長手方向に延びる一対の歯１３６を含む。
【００１３】
図２２ａ−図２２ｄに示されるばね保持用キャップ８２は、上面１４２及び下面１４４を有する曲線部分１４０を含む。図７及び図１２に示されるように、曲線部分１４０の厚さは、該曲線部分１４０が凹部８０内に嵌合し、上面１４２がプラグ本体４０の中間部分４６と同一平面になることを可能にするように設定される。複数のばね位置合わせ用先端部が、下面１４４から延びて、ばね１４８に係合する。さらに、一対のキャップ保持用先端部１５２が下面１４４から延びて、プラグ本体４０（図１６ｅ−図１６ｆ）内に形成された位置合わせ用開口部１５４に係合する。
【００１４】
錠シリンダ１０を組み立てるために、ピン１１３及びばね１１５が、プラグ本体４０のチャネル７４内に配置される。ばね保持用キャップ８２が、凹部８０内に配置され、キャップ保持用先端部１５２は位置合わせ用開口部１５４内に配置され、ばね位置合わせ用先端部１４６がばね１１５と係合される。キャリア・サブ組立体４２が、ラック９２をスロット１０２内に配置し、ばね付勢ロッキング・バー９４をロッキング・バー用凹部１０６内に配置することによって組み立てられ、歯１３６が、該ラック９２内に形成されたロッキング・バー係合用溝１３２に係合する。ばねキャッチ９６が、キャリア９０のばねキャッチ用凹部１０８内に配置される。図３に示されるように、有効鍵１６０が鍵穴５２に挿入され、伸縮ばね９８が伸縮ばね用凹部１１２内に圧縮され、キャリア・サブ組立体がプラグ本体４０に隣接して配置される。プラグ組立体１４が錠シリンダ本体１２内に配置され、リテーナ１６が、プラグ本体４０内に形成されたスロット６６内に配置されて、該プラグ組立体１４を該シリンダ本体１２内に保持する。ここで、錠シリンダ１０は、有効鍵１６０に対して鍵設定される。
【００１５】
鍵１６０が挿入されていない状態の、適切に鍵設定された錠シリンダ１０が、図４−図７に示される。ピン１１３は、チャネル７４の底部に対して付勢され、鍵１６０の切削部に基づいて、ラック９２が、キャリア９０のスロット１０２内の様々な位置に配置される。図４に示されるように、この構成において、ロッキング・バー９４は、キャリア９０から延びて、シリンダ本体１２内の溝２９に係合し、プラグ組立体１４が該シリンダ本体１２内で回転するのを防止し、ラック９２がピン１１３に係合する。さらに、弾丸状部分７８がラック９２内の凹部１１１と心ずれし、よって錠シリンダ１０の長手方向軸と平行なラック９２の移動が妨げられ、該錠シリンダ１０の鍵を再設定することが防止される。
【００１６】
有効鍵１６０が定位置で内部に挿入された状態の錠シリンダ１０の内部構成が、図８−図１２に示される。図８、図９、及び図１２に示されるように、この構成において、ロッキング・バー９４は、カム作用によりシリンダ本体１２内の溝２９の外に出ることができる。鍵１６０先の部分が、チャネル７４内のピン１１３を持ち上げ、これによりスロット１０２内のラック９２が再配置される。再配置されると、ラック９２は、ロッキング・バー係合用溝１３２を、ロッキング・バー９４上の延長された歯１３６と位置合わせするように配置される。鍵１６０が回転される時、ロッキング・バー９４は、カム作用により溝２９の外に出ることができる。同時に、図１２に示されるように、弾丸状部分７８が、ラック９２内の凹部１１１と位置合わせされ、該ラック９２及びキャリア９０が、錠シリンダ１０の長手方向軸と平行に移動することを可能にする。
【００１７】
図１３及び図１４に示されるように、錠シリンダ１０の鍵を再設定するために、有効鍵１６０が鍵穴５２に挿入され、ばねキャッチ９６が、シリンダ本体１２内に形成された第２の戻り止め凹部３２内に移動するまで、定位置から反時計回りに約４５°回転される。紙クリップ又は他の先の尖った装置１６２をツール用開口部５４に挿入し、ばねキャッチ９６が第１の戻り止め凹部３０内に移動するまで、キャリア９０に押し付けて該キャリア９０を錠シリンダ１０の長手方向軸に平行に移動させ、該先の尖った装置を取り外す。図１４に示されるように、ばねキャッチ９６が第１の戻り止め凹部３０内に配置された場合には、ラック９２がピン１１３から分離される。有効鍵１６０を取り外し、第２の有効鍵を挿入して時計回りに回転させ、ばねキャッチ９６を解放する。ばねキャッチ９６が第１の戻り止め凹部３０を離れると、キャリア９０が伸縮ばね９８によってプラグ面４４に向けて付勢され、ラック９２がピン１１３に再係合される。この時点で、錠シリンダ１０は第２の有効鍵に対して鍵設定され、もはや第１の有効鍵は錠シリンダ１０に作用しなくなる。上記の手続きにおいて第１及び第２の有効鍵を、それぞれ第２及び第３の有効鍵と置き換えることによって、第３の有効鍵に適合するように錠シリンダ１０の鍵を再設定することができる。
【００１８】
本発明の代替的な実施形態２１０が、図２３−図２９に示される。この代替的な実施形態は、図２３に示されるものと同じ部品を含むが、幾つかの部品は修正されている。機能的には、両方の実施形態は同じものである。
図２３及び図２４に示される修正されたハウジング２１２は、その底部に沿って長手方向に通っている複数のアパーチャ２１４と、ハウジング側壁内に形成された一対の垂直方向溝２１６、２１８とを含む。さらに、側壁は、取り外し可能な側板２２０を含む。手動無効化ツールの使用を可能にするように、矩形の孔２１４が配置される。中央の溝２１６は、ハウジング側壁を貫通して延びるアパーチャ２２２を含む。アパーチャ２２２は、手動無効化作業中に、ユーザがロッキング・バーを移動させることを可能にする。側板２２０は、錠シリンダのマスターキーを変更する間、特定の作業を行うためのアクセスを提供する。
【００１９】
図２３及び図２５に示される修正されたピン付勢ばね２２６は、一定でない直径を含み、該ばね２２６の両端の最後の幾つかのコイルが、減少した直径を有する。テーパ状にすることにより、より小さい物理的高さにおいて大きなばね力を得ることが可能になる。
図２３及び図２６に示される修正されたばねキャッチ２２８は、中央のＵ形状部分２３０と、該Ｕ形状部分２３０から延びる一対のアーム２３２とを含む。
【００２０】
図２３及び図２７に示される修正されたキャリア２３６は、ばねキャッチ２２８をばねキャッチ用凹部２３８内に保持するための手段を含む。図示される実施形態において、このキャリア２３６は、ばねキャッチ用凹部２３８の中央において外方に突出するガイド２４０と、該ガイド２４０から半径方向にオフセットした一対の固定具２４２とを含む。上述のように、ガイド２４０は、ばねキャッチ２２８が、半径方向外方に移動して、ハウジング１２、２１２に係合するのを可能にしながら、該ばねキャッチ２２８が凹部２３８内で横断方向に移動することを防止する。固定具２４２は、ばねキャッチ２２８のアーム２３２に係合し、該アーム２３２が外方に開くのを防止し、これにより、Ｕ形状部分２３０を外方に延ばしてハウジング１２、２１２に係合するように、該ばねキャッチ２２８の圧縮力が指向される。
【００２１】
図２３及び図２８に示される修正されたピン２４４は、上述されたピン１１３の複数の歯の代わりに単一の歯を含む。好ましくはベベル状側部２４８を含む単一の歯２４６により、鍵の再設定工程中にラックとのより滑らかな係合がもたらされる。
図２３及び図２９に示される修正されたラック２５０は、鍵の再設定工程中にピンとの係合を改善するためのベベル状歯を含む。さらに、ラック９２内のロッキング・バー係合用溝１３２の対が、単一のロッキング・バー係合用溝２５１と置き換えられる。
【００２２】
図２３及び図３０に示される修正されたロッキング・バー２５２は、ロッキング・バー９４より薄く、歯１３６の対を単一の歯２５６と置き換え、三角形の縁部１３４に丸みをつけたものである。より薄い設計により、ロッキング・バー用凹部１０６内のロッキング・バー２５２の揺れが減少される。
もちろん、上述の実施形態は、本発明の範囲を制限するものとして解釈されるべきではない。特許請求の範囲に定められるように、本発明の精神及び範囲内にある修正及び他の代替的な構成が明らかになるであろう。
【図１】
2010048082.tif 000003
【図２】
2010048082.tif 000004
【図３】
2010048082.tif 000005
【図４】
2010048082.tif 000006
【図５】
2010048082.tif 000007
【図６】
2010048082.tif 000008
【図７】
2010048082.tif 000009
【図８】
2010048082.tif 000010
【図９】
2010048082.tif 000011
【図１０】
2010048082.tif 000012
【図１１】
2010048082.tif 000013
【図１２】
2010048082.tif 000014
【図１３】
2010048082.tif 000015
【図１４】
2010048082.tif 000016
【図１５ａ】
2010048082.tif 000017
【図１５ｂ】
2010048082.tif 000018
【図１５ｃ】
2010048082.tif 000019
【図１５ｄ】
2010048082.tif 000020
【図１５ｅ】
2010048082.tif 000021
【図１６ａ】
2010048082.tif 000022
【図１６ｂ】
2010048082.tif 000023
【図１６ｃ】
2010048082.tif 000024
【図１６ｄ】
2010048082.tif 000025
【図１６ｅ】
2010048082.tif 000026
【図１６ｆ】
2010048082.tif 000027
【図１７ａ】
2010048082.tif 000028
【図１７ｂ】
2010048082.tif 000029
【図１７ｃ】
2010048082.tif 000030
【図１７ｄ】
2010048082.tif 000031
【図１７ｅ】
2010048082.tif 000032
【図１７ｆ】
2010048082.tif 000033
【図１８ａ】
2010048082.tif 000034
【図１８ｂ】
2010048082.tif 000035
【図１９ａ】
2010048082.tif 000036
【図１９ｂ】
2010048082.tif 000037
【図２０ａ】
2010048082.tif 000038
【図２０ｂ】
2010048082.tif 000039
【図２１ａ】
2010048082.tif 000040
【図２１ｂ】
2010048082.tif 000041
【図２２ａ】
2010048082.tif 000042
【図２２ｂ】
2010048082.tif 000043
【図２２ｃ】
2010048082.tif 000044
【図２２ｄ】
2010048082.tif 000045
【図２３】
2010048082.tif 000046
【図２４ａ】
2010048082.tif 000047
【図２４ｂ】
2010048082.tif 000048
【図２４ｃ】
2010048082.tif 000049
【図２４ｄ】
2010048082.tif 000050
【図２４ｅ】
2010048082.tif 000051
【図２５】
2010048082.tif 000052
【図２６ａ】
2010048082.tif 000053
【図２６ｂ】
2010048082.tif 000054
【図２７ａ】
2010048082.tif 000055
【図２７ｂ】
2010048082.tif 000056
【図２７ｃ】
2010048082.tif 000057
【図２７ｄ】
2010048082.tif 000058
【図２７ｅ】
2010048082.tif 000059
【図２８ａ】
2010048082.tif 000060
【図２８ｂ】
2010048082.tif 000061
【図２９ａ】
2010048082.tif 000062
【図２９ｂ】
2010048082.tif 000063
【図３０ａ】
2010048082.tif 000064
【図３０ｂ】
2010048082.tif 000065